【手続補正書】
【提出日】平成18年3月16日(2006.3.16)
【手続補正１】
【補正対象書類名】明細書
【補正対象項目名】特許請求の範囲
【補正方法】変更
【補正の内容】
【特許請求の範囲】
【請求項１】  端末装置と、文書提供装置とを備える文書処理システムにおいて、
上記端末装置は、
電子文書をその特徴に基づいて複数の分類項目に分類する分類手段と、
上記文書提供装置と通信する通信手段と、
上記複数の分類項目に分類されている電子文書又は上記複数の分類項目のいずれかを指定できるようにされた指定入力手段と、
上記指定入力手段により指定された電子文書又は分類項目の特徴を示す特徴情報を、上記通信手段を介して上記文書提供装置に送信させる制御手段と、
を備え、
上記文書提供装置は、
複数の電子文書を登録可能なデータベースと、
上記データベースに登録されている電子文書から所望の電子文書を検索する検索手段と、
上記端末装置と通信する通信手段と、
上記通信手段が上記特徴情報を受信した時に、上記検索手段により上記データベースに登録されている複数の電子文書から上記特徴情報と関連する電子文書を検索させ、検索された電子文書に関連する情報を上記通信手段により上記端末装置に送信させる制御手段と、
を備えたことを特徴とする文書処理システム。
【請求項２】  上記端末装置の上記制御手段は、上記指定情報入力手段により指定された電子文書又は分類項目の特徴を示す特徴情報とともに、指定された電子文書又は分類項目の識別子を、上記通信手段を介して上記文書提供装置に送信させることを特徴とする請求項１に記載の文書処理システム。
【請求項３】  上記文書提供装置の上記制御手段は、上記検索された電子文書に関連する情報として、検索により抽出された電子文書自体を、上記通信手段により上記端末装置に送信させることを特徴とする請求項１に記載の文書処理システム。
【請求項４】  上記文書提供装置の上記制御手段は、上記検索された電子文書に関連する情報として、検索により抽出された電子文書のリスト情報を、上記通信手段により上記端末装置に送信させることを特徴とする請求項１に記載の文書処理システム。
【請求項５】  上記端末装置は、上記通信手段により上記リスト情報が送信された際に、そのリスト情報に挙げられた電子文書の中から特定の電子文書を指定する電子文書指定情報が入力される電子文書指定手段が設けられ、
上記端末装置の上記制御手段は、上記電子文書指定手段に入力された電子文書指定情報を、上記通信手段を介して上記文書提供装置に送信させることを特徴とする請求項４に記載の文書処理システム。
【請求項６】  上記文書提供装置の上記制御手段は、上記端末装置から送信されてきた上記電子文書指定情報により指定される電子文書を、上記通信手段により上記端末装置に送信させることを特徴とする請求項５に記載の文書処理システム。
【請求項７】  上記文書提供装置の上記制御手段は、上記検索手段により上記データベースから検索された全ての電子文書について、上記リスト情報を生成し、上記通信手段により上記端末装置に送信させることを特徴とする請求項４に記載の文書処理システム。
【請求項８】  上記文書提供装置の上記制御手段は、上記検索手段により上記データベースから検索された電子文書の中で一部の電子文書について、上記リスト情報を生成し、上記通信手段により上記端末装置に送信させることを特徴とする請求項４に記載の文書処理システム。
【請求項９】  上記文書提供装置の上記制御手段は、上記検索手段により上記データベースから検索された全部又は一部の電子文書についてソート処理を行って上記リスト情報を生成し、上記通信手段により上記端末装置に送信させることを特徴とする請求項４に記載の文書処理システム。
【請求項１０】  上記分類手段は、上記文書提供装置から送信されてきた電子文書について、その特徴に基づいて該当する分類項目を判別するとともに、
判別された分類項目が、上記指定入力手段により指定された分類項目、又は指定された電子文書が属する分類項目と一致する場合は、上記文書提供装置から送信されてきた電子文書をその分類項目に分類し、
判別された分類項目が、上記指定入力手段により指定された分類項目、又は指定された電子文書が属する分類項目と異なる場合は、操作入力に基づいて、上記文書提供装置から送信されてきた電子文書を或る分類項目に分類することを特徴とする請求項２又は請求項６に記載の文書処理システム。
【請求項１１】  上記分類手段は、上記文書提供装置から送信されてきた電子文書を分類項目に分類することに応じて、分類情報を更新することを特徴とする請求項１に記載の文書処理システム。
【請求項１２】  上記文書提供装置には、電子文書を上記端末装置に送信することに応じて、上記端末装置に対して課金処理を行なう課金処理手段を備えることを特徴とする請求項１に記載の文書処理システム。
【請求項１３】  電子文書をその特徴に基づいて複数の分類項目に分類する分類手段と、
文書提供装置と通信する通信手段と、
上記複数の分類項目に分類されている電子文書又は上記複数の分類項目のいずれかを指定できるようにされた指定入力手段と、
上記指定入力手段により指定された電子文書又は分類項目の特徴を示す特徴情報を、上記通信手段を介して上記文書提供装置に送信させる制御手段と、
を備えたことを特徴とする端末装置。
【請求項１４】  上記制御手段は、上記指定情報入力手段により指定された電子文書又は分類項目の特徴を示す特徴情報とともに、指定された電子文書又は分類項目の識別子を、上記通信手段を介して上記文書提供装置に送信させることを特徴とする請求項１３に記載の端末装置。
【請求項１５】  上記通信手段により、上記文書提供装置からの、上記特徴情報に基づいて検索された電子文書のリスト情報が受信された際に、そのリスト情報に挙げられた電子文書の中から特定の電子文書を指定する電子文書指定情報が入力される電子文書指定手段が設けられ、
上記制御手段は、上記電子文書指定手段に入力された電子文書指定情報を、上記通信手段を介して上記文書提供装置に送信させることを特徴とする請求項１３に記載の端末装置。
【請求項１６】  上記分類手段は、上記文書提供装置から送信されてきた電子文書について、その特徴に基づいて該当する分類項目を判別するとともに、
判別された分類項目が、上記指定入力手段により指定された分類項目、又は指定された電子文書が属する分類項目と一致する場合は、上記文書提供装置から送信されてきた電子文書をその分類項目に分類し、
判別された分類項目が、上記指定入力手段により指定された分類項目、又は指定された電子文書が属する分類項目と異なる場合は、操作入力に基づいて、上記文書提供装置から送信されてきた電子文書を或る分類項目に分類することを特徴とする請求項１３に記載の端末装置。
【請求項１７】  上記分類手段は、上記文書提供装置から送信されてきた電子文書を分類項目に分類することに応じて、分類情報を更新することを特徴とする請求項１３に記載の端末装置。
【請求項１８】  複数の電子文書を登録可能なデータベースと、
上記データベースに登録されている電子文書から所望の電子文書を検索する検索手段と、
端末装置と通信する通信手段と、
上記通信手段が上記端末装置からの特徴情報を受信した時に、上記検索手段により上記データベースに登録されている複数の電子文書から上記特徴情報と関連する電子文書を検索させ、検索された電子文書に関連する情報を上記通信手段により上記端末装置に送信させる制御手段と、
を備えたことを特徴とする文書提供装置。
【請求項１９】  上記制御手段は、上記検索された電子文書に関連する情報として、検索により抽出された電子文書自体を、上記通信手段により上記端末装置に送信させることを特徴とする請求項１８に記載の文書提供装置。
【請求項２０】  上記制御手段は、上記検索された電子文書に関連する情報として、検索により抽出された電子文書のリスト情報を、上記通信手段により上記端末装置に送信させることを特徴とする請求項１８に記載の文書提供装置。
【請求項２１】  上記制御手段は、上記リスト情報に挙げた電子文書の中から特定の電子文書を指定する電子文書指定情報が上記端末装置から送信されてきた場合に、上記電子文書指定情報により指定される電子文書を、上記通信手段により上記端末装置に送信させることを特徴とする請求項２０に記載の文書提供装置。
【請求項２２】  上記制御手段は、上記検索手段により上記データベースから検索された全ての電子文書について、上記リスト情報を生成し、上記通信手段により上記端末装置に送信させることを特徴とする請求項２０に記載の文書提供装置。
【請求項２３】  上記制御手段は、上記検索手段により上記データベースから検索された電子文書の中で一部の電子文書について、上記リスト情報を生成し、上記通信手段により上記端末装置に送信させることを特徴とする請求項２０に記載の文書提供装置。
【請求項２４】  上記制御手段は、上記検索手段により上記データベースから検索された全部又は一部の電子文書についてソート処理を行って上記リスト情報を生成し、上記通信手段により上記端末装置に送信させることを特徴とする請求項２０に記載の文書提供装置。
【請求項２５】  電子文書を上記端末装置に送信することに応じて、上記端末装置に対して課金処理を行なう課金処理手段を備えることを特徴とする請求項１８に記載の文書提供装置。
【請求項２６】  電子文書をその特徴に基づいて複数の分類項目に分類する分類手順と、
上記複数の分類項目に分類されている電子文書又は上記複数の分類項目のいずれかの指定を要求する指定要求手順と、
上記指定要求手順の要求に応じて指定された電子文書又は分類項目の特徴を示す特徴情報を、文書提供装置に送信する送信手順と、
が行われることを特徴とする文書処理方法。
【請求項２７】  端末装置から、電子文書又は分類項目の特徴情報を受信した時に、データベースに登録されている複数の電子文書から上記特徴情報と関連する電子文書を検索する検索手順と、
上記検索手順で検索された電子文書に関連する情報を上記端末装置に送信する送信手順と、
が行われることを特徴とする文書処理方法。
【請求項２８】  電子文書をその特徴に基づいて複数の分類項目に分類する分類手順と、
上記複数の分類項目に分類されている電子文書又は上記複数の分類項目のいずれかの指定を要求する指定要求手順と、
上記指定要求手順の要求に応じて指定された電子文書又は分類項目の特徴を示す特徴情報を、文書提供装置に送信する送信手順と、
が行われるようにした動作制御プログラムが記録されていることを特徴とする記録媒体。
【請求項２９】  端末装置から、電子文書又は分類項目の特徴情報を受信した時に、データベースに登録されている複数の電子文書から上記特徴情報と関連する電子文書を検索する検索手順と、
上記検索手順で検索された電子文書に関連する情報を上記端末装置に送信する送信手順と、
が行われるようにした動作制御プログラムが記録されていることを特徴とする記録媒体。